(57)【要約】  通信ステージの少なくとも一つの出力信号（Ｃ１，Ｃ２，Ｃ３）を処理するための回路（２，３）であって、通信ステージの少なくとも一つの出力信号（Ｃ１，Ｃ２，Ｃ３）を通信ステージにより生成することができる回路において、信号ミキシング手段（５）が備えられており、上記信号ミキシング手段（５）は、通信ステージの少なくとも二つの出力信号（Ｃ１，Ｃ２，Ｃ３）を受け取って、通信ステージの上記少なくとも二つの出力信号（Ｃ１，Ｃ２，Ｃ３）をミキシングするとともに、通信ステージの上記少なくとも二つの出力信号（Ｃ１，Ｃ２，Ｃ３）のミキシングの結果を表す衝突信号を発信するように構成されており、上記衝突信号は、電磁場における通信ステージの少なくとも二つの出力信号（Ｃ１，Ｃ２，Ｃ３）の同時発生を表している。
2007535059.tif 000002
【特許請求の範囲】
【請求項１】
通信ステージの少なくとも一つの出力信号を処理するための回路であって、通信ステージの少なくとも一つの出力信号を通信ステージにより生成することができ、前記回路は、信号ミキシング手段を有し、前記信号ミキシング手段は、通信ステージの少なくとも二つの出力信号を受け取って、通信ステージの前記少なくとも二つの出力信号をミキシングするとともに、通信ステージの前記少なくとも二つの出力信号のミキシングの結果を表す衝突信号を発信するように構成されており、前記衝突信号は、電磁場における通信ステージの少なくとも二つの出力信号の同時発生を表していることを特徴とする回路。
【請求項２】
前記信号ミキシング手段は、情報の単位に関して受け取られる通信ステージの前記少なくとも二つの出力信号を論理ゲート制御するように構成されており、前記情報の単位は、それぞれ、それらによって表されるとともに、互いに対応していることを特徴とする請求項１に記載の回路。
【請求項３】
前記信号ミキシング手段は、マンチェスターコードでコード化される通信ステージの出力信号を処理するように構成されていることを特徴とする請求項２に記載の回路。
【請求項４】
前記回路は、前記通信ステージのうちの少なくとも一つが通信のためにアクティブ化されると、この少なくとも一つの選択された通信ステージが、選択されなかった他の通信ステージに対して通信に関して優先権を保有することを保証するように構成されている優先権保証手段を有していることを特徴とする請求項１、２又は３のいずれか一項に記載の回路。
【請求項５】
回路を有するデータキャリアであって、請求項１乃至４のいずれか一項に記載の回路が備えられ、前記回路は、接触により通信するように構成されており及び／又は非接触通信するように構成されており、前記回路は通信ステージを有し、前記通信ステージは、出力信号を生成して発信するように構成されており、前記信号ミキシング手段は、前記通信ステージと協働し且つ前記インタフェース手段と協働するように構成されていることを特徴とするデータキャリア。
【請求項６】
回路を有する通信装置であって、請求項１乃至４のいずれか一項に記載の少なくとも一つの回路及び／又は請求項５に記載の少なくとも一つのデータキャリアが備えられていることを特徴とする通信装置。
【請求項７】
携帯電話又は個人ディジタルアシスタント（ＰＤＡ）の形態をなしていることを特徴とする請求項６に記載の通信装置。
【請求項８】
データキャリアのための読み取り／書き込みステーションの形態をなしていることを特徴とする請求項６に記載の通信装置。
【発明の詳細な説明】
【技術分野】
【０００１】
本発明は、通信ステージの少なくとも一つの出力信号を処理するための回路に関し、通信ステージの少なくとも一つの出力信号は、通信ステージによって生成することができる。
【０００２】
また、本発明は、第１の段落において特定された種類の回路を有するデータキャリアに関する。
【０００３】
更に、本発明は、第１の段落において特定された種類の回路を有する通信装置に関する。
【背景技術】
【０００４】
上記種類の回路、上記種類のデータキャリア、上記種類の通信装置は、特許文献国際公開公報第ＷＯ０３／０７９２８１号（特許文献１）から知られている。
【０００５】
この文献は、携帯通信装置即ち携帯電話を開示しており、この携帯電話は、携帯電話の外部の少なくとも一つのデータキャリアと非接触通信するための第１の通信ステージを備える通信ステーション構成を有するとともに、携帯電話の外部の少なくとも一つの通信ステーションと非接触通信するための第２の通信ステージを備えるデータキャリア構成を有している。携帯電話には、携帯電話に組み込まれた通信ステーション構成及び携帯電話に組み込まれたデータキャリア構成の通信領域内における外部データキャリア又は外部通信ステーションの存在を検出するように設計されている検出回路が設けられている。また、検出回路と協働する起動回路も設けられており、この起動回路は、検出回路による検出結果に応じて携帯電話に組み込まれた通信ステーション構成及びデータキャリア構成を起動させることができ、それにより、それらが相手側と通信できるようにすることができる。個々の相手側、例えば読み取り／書き込みステーションとの通信を確立するため、読み取り／書き込みステーションは、最初に、インベントライジング（inventorizing）コマンドを表す信号を発信する。この信号は、携帯電話に組み込まれた通信ステージの回路により処理され、それにより、ステージは、それらのインタフェース及びそれらの送信手段を介して、それらの識別情報の項目を同時に読み取り／書き込みステーションに対して送信する。
【０００６】
これにより、確実に、所定のビット位置において衝突（collision）と称されるものが引き起こされ、この衝突が、読み取り／書き込みステーションによって認識されるとともに、例えば規格ＩＳＯ１４４４３に規定されるような、いわゆる反衝突（anti-collision）処理によって処理される。衝突は、この場合、読み取り／書き込みステーションと通信ステーションとの間の電磁場内において所定の物理的レベルで起こるとともに、衝突を受ける少なくとも一つの信号セグメントの形態で明らかになる。この信号セグメントは、情報内容が異なり且つ読み取り／書き込みステーションに対して同時に送信された二つの情報単位の存在を示している。
【０００７】
既知の通信装置の場合には、携帯電話に組み込まれる通信ステーション構成及び携帯電話に組み込まれるデータキャリア構成の両方に対して、電磁信号をそれぞれ送信するように構成されている送信手段と、送信手段と電子的に協働するように構成されているインタフェース手段とを設けなければならず、送信手段が一方で電磁信号中に含まれる入力情報信号を受け取るとともに他方で出力情報信号を送信するように構成されていることが不利であることが分かった。また、二つの構成のうちのいずれを起動させる必要があるのかを携帯電話内で検出しなければならず、この目的のため、前述したように、検出回路及び起動回路が必要となる。その結果、非常に多数の構成要素が存在し、そのうちのいくつかが重複し、これにより、電力消費量及び装置のサイズが増大する。
【特許文献１】国際公開公報第ＷＯ０３／０７９２８１号
【発明の開示】
【発明が解決しようとする課題】
【０００８】
本発明の目的は、上記第１の段落で特定された種類の回路において生ずる、上記第２の段落で特定された種類のデータキャリアにおいて生ずる、上記第３の段落で特定された種類の通信装置において生ずる前述した欠点を解消することであり、また、改良された回路、改良されたデータキャリア、改良された通信装置を製造することである。
【課題を解決するための手段】
【０００９】
上記目的を達成できるようにするため、本発明に係る特徴的構成が本発明に係る回路内に設けられ、それにより、本発明に係る回路を以下に特定された態様で特徴付けることができる。即ち、
通信ステージの少なくとも一つの出力信号を処理するための回路であって、通信ステージの少なくとも一つの出力信号を通信ステージにより生成することができ、上記回路は、信号ミキシング手段を有し、上記信号ミキシング手段は、通信ステージの少なくとも二つの出力信号を受け取って、通信ステージの上記少なくとも二つの出力信号をミキシングするとともに、通信ステージの上記少なくとも二つの出力信号のミキシングの結果を表す衝突信号を発信するように構成されており、上記衝突信号は、電磁場における通信ステージの少なくとも二つの出力信号の同時発生を表している。
【００１０】
上記目的を達成できるようにするため、本発明に係るデータキャリアを以下に特定された態様で特徴付けることができる。即ち、
回路を有するデータキャリアであって、本発明に係る回路が備えられ、上記回路は、接触により通信するように構成されており及び／又は非接触通信するように構成されており、上記回路は通信ステージを有し、上記通信ステージは、出力信号を生成して発信するように構成されており、上記信号ミキシング手段は、上記通信ステージと協働し且つ上記インタフェース手段と協働するように構成されている。
【００１１】
上記目的を達成できるようにするため、本発明に係る通信装置を以下に特定された態様で特徴付けることができる。即ち、
回路を有する通信装置であって、本発明に係る少なくとも一つの回路及び／又は本発明に係る少なくとも一つのデータキャリアが備えられている。
【００１２】
本発明に係る特徴的構成を与えることにより有利な態様で達成されるもののうちの一つは、互いに区別できる通信ステージ出力信号が電磁手段により異なる通信ステージによって同時に発せられる際に、回路の外側で又はそのような回路を有するデータキャリアの外側で又はそのような回路及び／又はそのようなデータキャリアを有する通信装置の外側で従来の技術において生ずる種類の、相手側通信装置との非接触通信の過程で生成される通信ステージの出力信号の衝突を、回路又はデータキャリア又は通信装置内で引き起こすことができ又はシミュレートすることができるとともに、通信装置に属する一つの送信手段により例えば読み取り／書き込みステーション等の相手側通信装置に対して通信することができることである。その結果、重ね合わせ、従って、通信ステージの出力信号の衝突が電磁場内でもはや物理的に引き起こされないが、その代わりに、元の本発明に係る回路内で引き起こされ、それにより、この種の重ね合わせ又は衝突を通信技術によって扱うことができる従来の技術と同じ反衝突処理を相手側通信装置及び回路内で使用できるという利点が得られる。これは、重ね合わせ又は衝突が行われる点でのシフトが従来の反衝突処理のステップに影響を与えないからである。また、このようにして得られるものは、通信ステージから出力信号を送信するために従来の技術において設けられる余分な構成要素及び検出回路並びに起動回路の両方を省くことができ、その結果、本発明をハードウェアに関して比較的容易に実施することができ且つソフトウェアによって非常に容易に実施することができるようになるという利点である。
【００１３】
本発明に係る回路においては、更に、請求項２に記載された対策を講ずると有利であることも判明した。これにより、ミキシング、即ち、従来の技術では電磁場内で生ずる通信ステージの出力信号の重ね合わせ又は衝突の回路内でのシミュレーションを最も簡単な方法で行うことができ、それにより、重ね合わせ又は衝突を受ける信号セグメントを与えることができ、その重ね合わせ又は衝突を受ける信号セグメントが異なる情報内容を有する情報単位の存在又は複数の通信ステージ出力信号の存在を表し、又は、重ね合わせ又は衝突が無い信号セグメントを与えることができ、その重ね合わせが無い又は衝突が無い信号セグメントが同じ情報内容の存在又は一つの通信ステージ出力信号の存在を表すという利点が与えられる。この点については、情報の単位が論理ＯＲゲート制御されると特に有利であることが判明した。しかしながら、ここでは、選択された論理に応じて、即ち、情報の単位の状態を表すために使用されるのが正論理であるか又は負論理であるかどうかに応じて、他の方法で論理ゲート制御される情報の単位に関して、例えばＡＮＤゲート制御される情報の単位に関して対策が講じられてもよいことに言及すべきである。
【００１４】
本発明に係る回路においては、更に、請求項３に記載された対策を講ずると有利であることも判明した。これにより、情報の単位のミキシングを比較的容易に行うことができるとともに、従来の技術において一般的な反衝突処理を全く変更することなく、相手側通信装置において、重ね合わせ又は衝突を受ける信号セグメントの認識、即ち、衝突を示す信号セグメントの認識を行うことができるという利点が得られる。
【００１５】
本発明に係る回路においては、更に、請求項４に記載された対策を講ずると有利であることも判明した。これにより、回路が設けられ且つ通信装置の外側の相手側通信装置と共通のインタフェースを介して通信することができる複数の通信ステージが設けられた通信装置内において必要とされる場合に、通信ステージのうちの一つが駆動されると直ちに、インタフェースの使用中に衝突が全く生じ得ないという利点が得られる。
【００１６】
ここで、本発明に係る回路に関連して明細に記される利点は、本発明に係るデータキャリアの場合及び本発明に係る通信装置の場合にも存在することが明示的に明らかにされるべきである。
【００１７】
本発明に係る通信装置においては、更に、請求項７及び請求項８のそれぞれに記載された更なる特徴的構成が設けられれば有利であることも判明した。これらの特徴的構成を設けると、本発明に係る回路又は本発明に係るデータキャリアにより実施される特徴的構成をいわゆる家庭用電化製品に与えることができるという利点が得られる。また、ここで、扱われ得るものが、通信装置内に含まれる複数の通信ステージから発生する通信ステージ出力信号であり、それにより、通信ステージにより規定される一つ又は複数の特徴的構成においてモジュラ拡張性を実施できるようになることに言及しなければならない。この点については、通信装置の外側から発生する通信ステージ出力信号及び通信装置の内部から発生する通信ステージ出力信号の両方を互いに重ね合わせることができるのが有利であることが判明した。これによって可能となるものは、例えば、接点による通信ステージのカスケード接続である。
【００１８】
本発明のこれらの態様及び他の態様は、後述する実施の形態から明らかであり、当該実施の形態を参照して上記態様について説明するが、本発明はこれらの実施の形態に限定されるものではない。
【発明を実施するための最良の形態】
【００１９】
図１は、本発明に係る回路を有する本発明に係る通信装置１３と、通信装置１３内に挿入された本発明に係るデータキャリアＤＣと、通信装置１３内に同様に挿入された従来のデータキャリア４とを示している。
【００２０】
通信装置１３において、本発明に係る回路は、第１の通信ステージ６と、インタフェース手段ＣＩＵと、インタフェース手段ＣＩＵに接続された送信手段１０と、以下において詳細に考察する第１の信号ミキシング手段５とを備える通信装置回路２の形態をなして実施される。
【００２１】
送信手段１０及びインタフェース手段ＣＩＵにより、通信装置１３は、規格ＩＳＯ１４４４３の下で非接触通信するように構成されている。この場合、通信装置１３は、送信手段１０及びインタフェース手段ＣＩＵを用いて、読み取り／書き込みステーション１に対して規格ＩＳＯ１４４３に規定されるデータキャリアのように機能する。読み取り／書き込みステーション１は、図１にも示されており、規格ＩＳＯ１４４３に従って動作して、いわゆるリーダ（読み取り器）の機能を果たす。
【００２２】
また、通信装置１３は、本発明に係るデータキャリアＤＣ及び従来のデータキャリア４を受け入れるように構成されている。この目的のため、通信装置回路２は、通信装置１３内に挿入可能な本発明に係るデータキャリアＤＣと接触により電子的に協働するように構成されており、データキャリアＤＣは、データキャリア回路３の形態で実施される本発明に係る回路を有している。また、本発明に係るデータキャリアＤＣにより、通信装置回路２は、データキャリア回路３を越えてカスケードで従来のデータキャリア４とも協働することができるようになる。
【００２３】
第１の通信ステージ６は、通信装置回路２内に組み込まれており、識別情報の固有の第１の項目ＵＩＤ１を記憶するための記憶手段を有している。第１の通信ステージ６は、読み取り／書き込みステーション１により生成して発することができ且つ入力信号Ｓ−ＩＮにより表されるインベントライジング（inventorizing）コマンドを受信するように構成されており、また、インベントライジングコマンドの受信時には、識別情報の第１の項目ＵＩＤ１を第１の通信ステージ出力信号Ｃ１の形態で第１の信号ミキシング手段５に対して送るように構成されている。
【００２４】
この場合、データキャリアＤＣは、通信装置１３内に挿入されて示されている。データキャリアＤＣは、前述したように、本発明に係るデータキャリア回路３を有しており、このデータキャリア回路３内には第２の信号ミキシング手段５が含まれている。データキャリアＤＣは、デュアルインタフェースデータキャリアとして知られる形態で実施されており、接触により通信を行うように構成されている二つのインタフェース手段（図１に具体的には示されていない）を有している。これらのインタフェース手段のうちの第１のインタフェース手段を用いて、データキャリアＤＣは、接触による通信のため、接点配列１１を介して通信装置回路２に対して電気的に接続される。これらのインタフェース手段のうちの第２のインタフェース手段を用いて、データキャリアＤＣは、接触による通信のために、接点配列１１’を介して従来のデータキャリア４に対して電気的に接続される。
【００２５】
データキャリア回路３内には、第１の通信ステージ６と同様に識別情報の固有の第２の項目ＵＩＤ２を記憶するための記憶手段を有する第２の通信ステージ８が含まれている。第２の通信ステージ８は、通信装置回路２と協働するデータキャリアＤＣのインタフェースを介してインベントライジングコマンドを受け取るように構成されているとともに、インベントライジングコマンドの受信時には、識別情報の第２の項目ＵＩＤ２を第２の通信ステージ出力信号Ｃ２の形態で第２の信号ミキシング手段５に対して送るように構成されている。
【００２６】
従来のデータキャリア４の回路（具体的には図示せず）には、第１の通信ステージ６と同様に識別情報の固有の第３の項目ＵＩＤ３を記憶するための記憶手段を有する第３の通信ステージ９が含まれている。第３の通信ステージ９は、従来の接点使用態様で本発明に係るデータキャリアＤＣを越えてインベントライジングコマンドを受け取るように構成されているとともに、インベントライジングコマンドの受信時には、識別情報の第３の項目ＵＩＤ３を第３の通信ステージ出力信号Ｃ３の形態で本発明に係るデータキャリアに対して直接に送るように構成されている。この場合、出力信号Ｃ３は、データキャリア回路３において第２の信号ミキシング手段５に対して伝えられる。
【００２７】
インベントライジングコマンドは、規格ＩＳＯ１４４４３において規定され、送信手段１０及びインタフェース手段ＣＩＵを用いて読み取り／書き込み手段１から受け取ることができるとともに、前述したように三つの通信ステージ６，８及び９に対して送ることができる。三つの通信ステージ６，８及び９により出力される通信ステージ出力信号Ｃ１，Ｃ２及びＣ３は、この場合には識別情報の項目ＵＩＤ１，ＵＩＤ２及びＵＩＤ３のビットである情報の単位を表しており、このビットはマンチェスターコードでコード化される。
【００２８】
第２の信号ミキシング手段５は、受け取った通信ステージ出力信号Ｃ３及びＣ２をミキシングする、即ち、これらの出力信号を図２の信号図に示されるようにビットごとに互いに重ね合わせるように構成されている。信号図の信号波形は、識別情報の項目ＵＩＤ３及びＵＩＤ２のそれぞれの三つのビットを示しており、これらのビットはマンチェスターコードでコード化される。マンチェスターコードは、半ビット長ごとにレベルの変化が行われること、即ち、関連するビットが論理１である場合に変化がハイレベルＨＩからローレベルＬＯへと行われ且つ関連するビットが論理０である場合に変化がローレベルＬＯからハイレベルＨＩへと行われることを必要とする。このようにすると、通信ステージ出力信号Ｃ３はビットシーケンス１−０−０を有し、通信ステージ出力信号Ｃ２はビットシーケンス１−１−０を有する。これらの二つの信号Ｃ３及びＣ２は、その後、以下に示される真理値表に従って論理ＯＲゲート制御により互いに重ね合わされ又は互いにミキシングされ、その結果、第１の信号ミキシング手段出力信号Ｓ−ＯＵＴ１が第２の信号ミキシング手段５の出力部において得られる。
【表１】
2007535059.tif 000003
ＨＩ＝ハイレベル＝アクティブレベル
ＬＯ＝ローレベル＝ゼロ入力レベル
【００２９】
図２から分かるように、結果として得られる第１の信号ミキシング手段出力信号Ｓ−ＯＵＴ１の第１のビットは論理１であり、第３のビットは論理０であり、これらは通信ステージ出力信号Ｃ３及びＣ２におけるビット値に対応している。これに対し、通信ステージ出力信号Ｃ３及びＣ２の値がこのビット位置で異なっているとともに、ＯＲゲート制御に起因する信号波形がビット全体に亘ってハイレベルＨＩにあり、これがマンチェスターコードの場合においてコード違反と称されるものを構成するため、第３のビットにはデータ衝突Ｃｏｌｌが存在する。
【００３０】
従って、信号ミキシング手段５は、ミキシングの結果を表す衝突信号を発するように構成されており、この衝突信号は、二つの通信ステージ出力信号Ｃ３及びＣ２が情報の一つの単位中に含んでいる情報に関して異なるこれらの出力信号の電場における同時発生を表している。これが実際に何を意味するのかを示すため、ここでは、図３に注目する。第１の信号波形Ｅ１には、通信ステージ出力信号Ｃ３のみによるキャリア信号の負荷変調が概略的に示されている。第２の信号波形には、通信ステージ出力信号Ｃ２のみによるキャリア信号の負荷変調が概略的に示されている。第３の信号波形には、信号セグメントＣｏｌｌにおいて、二つの通信ステージ出力信号Ｃ３及びＣ２により引き起こされるキャリア信号の変調のミキシングが示されている。例えば、第１の信号ミキシング手段出力信号Ｓ−ＯＵＴ１におけるその点に示される信号波形がキャリア信号を負荷変調するために使用された場合には、図２に示される信号セグメントＣｏｌｌにより引き起こされるキャリア信号の変調のミキシングが示される。
【００３１】
第１の信号ミキシング手段出力信号Ｓ−ＯＵＴ１は、データキャリアＤＣの第１のインタフェース手段を用いて通信装置回路２に対して送ることができ、そこから第１の信号ミキシング手段５に対して供給することができる。第１の信号ミキシング手段５においては、第１の通信ステージ出力信号Ｃ１が、同様にビットごとに、既に予めミキシングされた通信ステージ出力信号Ｃ２及びＣ３を表す第１の信号ミキシング手段出力信号Ｓ−ＯＵＴ１とミキシングされる。その結果、第２の信号ミキシング手段出力信号Ｓ−ＯＵＴ２が得られ、この信号はインタフェース手段ＣＩＵへと送られる。各通信ステージ出力信号Ｃ１，Ｃ２及びＣ３は個別であるため、第２の信号ミキシング手段出力信号Ｓ−ＯＵＴ２はこの場合には少なくとも二つの信号セグメントＣｏｌｌを有しているが、これは具体的に図式的に示されていない。
【００３２】
ここで、三つの通信ステージ出力信号Ｃ１，Ｃ２及びＣ３のミキシングの経過時間に関しては、互いに対応する二つの通信ステージ出力信号Ｃ３及びＣ２のビットが第２のミキシング手段５において互いにミキシングされるとともに、第１の信号ミキシング手段出力信号Ｓ−ＯＵＴ１により表されるミキシングされた信号が遅延なく第１の信号ミキシング手段５に対して送られ、そのビット位置に関して対応する第１の通信ステージ出力信号Ｃ１のビットが混入されることに言及しておくべきである。それらのビット位置に関して互いに対応する三つの通信ステージ出力信号Ｃ１乃至Ｃ３のビットのビットごとの準同時ミキシングにより、通信ステージ出力信号Ｃ１乃至Ｃ３が発信されるときに、規格に準拠するタイミングが得られる。しかしながら、他のケースにおいては、二つの通信ステージ出力信号Ｃ３及びＣ２における互いに対応するビットの総ての同時ミキシングが行われた後に、第１の通信ステージ出力信号Ｃ１における総てのビットが最終的に更なるミシングプロセスにおいてミキシングされてもよいということにここで言及しておくべきである。この場合、発信タイミングがインタフェース手段ＣＩＵによって決定されてもよく、インタフェース手段ＣＩＵには、前述したように個々のビットがシリアルに供給されず、その代わり、総ての数のビットが一度に供給される。
【００３３】
尚、信号ミキシング手段５の更なる実施の形態においては、逆の論理が好ましく、信号ミキシング手段５への入力信号及び信号ミキシング手段５からの出力信号のゼロ入力レベルは、負荷変調による電磁キャリア信号のローディングが生ずるハイレベルＨＩ及びアクティブレベルであってもよく、ローレベルＬＯであってもよい。従って、先に示したＯＲ真理値表は、論理が逆にされる場合、以下に示されるＡＮＤ真理値表へと変わる。
【表２】
2007535059.tif 000004
ＬＯ＝ローレベル＝アクティブレベル
ＨＩ＝ハイレベル＝ゼロ入力レベル
【００３４】
結果は、正論理及び逆論理の両方に関して同じであり、即ち、信号ミキシング手段５への入力信号における一つのアクティブレベルの存在だけにより、特定の信号ミキシング手段出力信号Ｓ−ＯＵＴ１又はＳ−ＯＵＴ２が同様にアクティブレベルに達する。
【００３５】
本発明に従って対策を講じることにより、送信手段１０により送信されるインベントライジングコマンドに応じたビット位置での衝突が読み取り／書き込みステーション１と通信装置１３との間の電磁場で生じない代わりに第１又は第２の信号ミキシング手段５により生成された場合であっても、上記衝突が従来の読み取り／書き込みステーション１で検出され、その結果、規格ＩＳＯ１４４４３において規定が設けられている類の従来の反衝突プロトコルによって読み取り／書き込みステーション１が機能できるという利点が得られる。
【００３６】
データキャリアＤＣ若しくは読み取り／書き込みステーション１又はこれらの両方が規格ＩＳＯ１８０９２に準拠するいわゆる近接場通信装置（ＮＦＣ装置）の形態をなす場合にも同じことがいえる。
【００３７】
図１に示されるように、通信装置１３内に複数の通信ステージ６，８及び９が存在し、複数の通信ステージ６，８及び９がＮＦＣ装置の場合と同様に通信駆動した際にそれらのアクティブモードで自発的に通信し始めて通信のために単一のインタフェースＣＩＵ又は単一の送信手段１０を使用しようとする場合には、信号ミキシング手段５に加えて、通信に関してアクティブな通信ステージが非アクティブ通信ステージに対して優先することを保証するように構成されている優先権保証手段も設けられていれば有利であるのが分かる。尚、複数の通信ステージをそれらがそれらの受動通信モードで通信に関与できるように選択することもできる。
【００３８】
この場合に通信に関してアクティブな通信装置は、データキャリア若しくは規格ＩＳＯ１４４４４に準拠するデータキャリアの回路にとって又はＮＦＣ装置にとって普通の方法で反衝突処理の一部としての選択により通信するように選択された通信装置であり、これらはいずれも、それらの受動通信モードで動作させられる。また、これは、ＩＳＯ１８０９２の下でいわゆる衝突回避処理の一部としてアクティブになったＮＦＣ装置の場合にも重要である。
【００３９】
優先権保証手段は、例えば、個々の通信ステージ６，８及び９と協働して通信ステージの動作又は状態を監視してもよく、また、通信に関してアクティブな状態が通信ステージのうちの一つで検出されると直ちに、他の通信ステージが通信に関して非アクティブなそれらの状態を維持し、即ち、他の通信ステージが共有の送信手段１０又は共有のインタフェースＣＩＵの望ましくない使用を全く行わないという趣旨で、他の通信ステージの状態に作用してもよい。特に実用的な実施において、優先権保証手段はソフトウェアによって形成される。
【００４０】
図４において、従来の読み取り／書き込みステーション１は、二つの従来の非接触データキャリア１５，１６及び本発明に係る通信装置１３と対向して示されている。通信装置１３は、本発明に係る通信装置回路２と、それぞれが本発明に係るデータキャリア回路３を有するカスケード型のデータキャリアＤＣと、従来のデータキャリア４とを有している。尚、理論的には、任意の望ましい数のデータキャリアＤＣを互いにカスケード接続（縦続接続）することができることに言及しておくべきである。また、データキャリアＤＣ及び４はそれぞれ、それら自体のＣＰＵを有するように、従って、それら自体の特定の知能を有するように構成されていてもよいことに言及しておくべきである。この種の構成において、安全データ記憶装置を伴う用途も可能である。
【００４１】
読み取り／書き込みステーション１が電磁信号ＥＳにより送信できるインベントライジングコマンドを送信する場合、従来の非接触データキャリア１５，１６及び明確に示されていない通信装置１３内に含まれる通信ステージは、識別情報のそれらの固有の項目を知らせることにより応答する。
【００４２】
これが行われると、読み取り／書き込みステーション１に対して通信される識別情報の項目においては異なるビット位置で衝突が生ずる場合がある。これらの衝突が通信装置１３及びデータキャリア１４，１５により電磁場内で生成されるのか又は通信装置回路２若しくはデータキャリア回路３に含まれる信号ミキシング手段５により通信装置１３内で生成されるのかどうかは重要ではない。
【００４３】
総ての場合において、読み取り／書き込みステーション１は、従来の反衝突処理を行うことができ、それにより、その通信領域内に位置を与えられたデータキャリアＤＣ若しくは４の総ての識別情報の項目を決定し、又は、存在する総ての通信ステージを更に精密にし、そのようにして、データキャリア１５，１６、通信装置回路２、本発明に係るカスケード型データキャリアＤＣのうちの一つ、又は、従来のカスケード型データキャリア４を個別に選択し、従って、これらを選択的にアドレス指定する。
【００４４】
尚、本発明に係る回路２及び３の通信ステージは、信号ミキシング手段の機能を有しているだけでなく、例えば規格ＩＳＯ１４４４３に準拠するスマートカード等の既知のデータキャリアの機能、又は、例えば事実上のＭＩＦＡＲＥ（登録商標）規格に準拠するデュアルインタフェースカードのようなデュアルインタフェースカードの機能、又は、携帯電話用のＳＩＭ（加入者識別モジュール）の機能、又は、これらの組み合わせ機能を果たしてもよいことに言及しておくべきである。
【００４５】
また、本発明に係る回路２及び３の通信ステージは、例えば規格ＩＳＯ１８０９２に準拠するＮＦＣ装置の機能を果たしてもよい。
【００４６】
図５は、本発明に係る通信装置回路２が内部に組み込まれた携帯電話の形態をなす通信装置１３を示している。通信装置回路２は、携帯電話の外部の読み取り／書き込みステーション１から送信手段１０を介して電磁信号ＥＳを受け取ることができるとともに、それ自体、電磁信号Ｅ−ＯＵＴを読み取り／書き込みステーション１に対して送信することができる。回路２は、本発明に係る方法で、携帯電話から除去できる従来のデータキャリア４と接点によりカスケード接続されている。回路２は、図１を参照して説明したタイプのものであり、それにより、受信された電磁信号ＥＳから抽出される入力情報信号Ｓ−ＩＮがデータキャリア４までループされるとともに、データキャリア４により生成された通信ステージ出力信号Ｃ３が、通信装置回路２に属する信号ミキシング手段５（明示的には図示せず）内において、回路２中に組み込まれる通信ステージ（同様に明示的には図示せず）の通信ステージ出力信号とミキシングされる。データキャリア４は、先ず第一に、携帯電話の動作のために必要とされ且つ規格ＩＳＯ７８１６に合わせて動作するデータバスＢＵＳ２を介して携帯電話の本質的な機能を制御するベースバンドコントローラＢＢＣに対して接続される加入者識別モジュール（ＳＩＭ）のため、第二に、安全なアプリケーションが実施される安全アプリケーションモジュール（ＳＡＭ）のための共通の基板１４を有している。適用能力を拡張するため、ベースバンドコントローラＢＢＣは、シリアルデータバスＢＵＳ１を介して、この場合には本発明に係る回路２に対しても接続されている。本発明に係る通信装置１３は多数の用途において使用することができる。言及され得るこの種の用途の例は、チケットのオンライン予約、又は、アクセスシステムにより読み取ることができる認証情報の外部読み取り／書き込みステーションを介した通信装置１３のローディングであり、その結果、通信装置は電子「キー」としての機能を果たすことができる。電子財布又はクレジットカードの実施も同様の方法で可能である。
【００４７】
通信ステージ出力信号Ｃ１乃至Ｃ３を送信端（送信エンド）でミキシングするように構成されている図１に示される通信装置１３とは異なり、図６に示される通信装置１３は、通信ステージ出力信号Ｃ１乃至Ｃ４を受信端（受信エンド）でミキシングするように構成されている。
【００４８】
図６に示される通信装置１３は、規格ＩＳＯ１４４４３の下で図１に示される通信装置１３と同様の方法で非接触通信するように構成されている本発明に係る読み取り／書き込みステーションとしての機能を果たすとともに、本発明に係る通信装置回路２を有しており、この場合には受信分岐におけるインタフェース手段ＣＩＵの下流側に信号ミキシング手段５が設けられている。この場合、信号ミキシング手段５は、インタフェース手段ＣＩＵにより発信された入力信号Ｓ−ＩＮを受信するのに適しており、この信号Ｓ−ＩＮは、この場合には、通信装置１３と通信している相手側通信装置からの応答を表している。この種の相手側通信装置は、この場合には、既に予めミキシングされた第２の信号ミキシング手段出力信号Ｓ−ＯＵＴ２の形態をなす通信ステージ出力信号Ｃ１乃至Ｃ３を図６に示される通信装置１３に対して通信する図１に示される通信装置１３によって形成される。しかしながら、図４に示される従来の各データキャリア１５及び１６が相手側通信装置を同様に適当に形成してもよく、これらのデータキャリアからの識別情報の項目が電磁場内でミキシングされる。
【００４９】
相手側通信装置内に記憶された識別情報の項目ＵＩＤ１乃至ＵＩＤ３を呼び出す目的で、通信装置１３内には、インベントライジングコマンドを生成し且つインベントライジングコマンドを第３の通信ステージ出力信号Ｓ−ＯＵＴ３の形態でインタフェース手段ＣＩＵに対して送信するように構成されている第４の通信ステージ１７が設けられており、インタフェース手段ＣＩＵにより信号が相手側通信装置へ通信される。
【００５０】
安全アプリケーションモジュール（ＳＡＭ）と称されるものの機能を与え且つ第４の通信ステージ１８’を有する従来のデータキャリア１８が接点により信号ミキシング手段５に対して結合されている。第４の通信ステージ１８’は、その中に記憶されている識別情報の第４の項目ＵＩＤ４により独自に識別することができる。データキャリア１８は通信ステージ１７に対して結合されており、これにより、第３の通信ステージ出力信号Ｓ−ＯＵＴ３を接点手段によりデータキャリア１８に対して供給することができるとともに、この出力信号によりデータキャリアの識別情報の項目ＵＩＤ４を信号ミキシング手段５に対して送信するようにデータキャリア１８に対して要求できるように構成されている。この場合、識別情報の第４の項目ＵＩＤ４は、電磁場を介して受信された一つの他の通信ステージ出力信号Ｃ１，Ｃ２若しくはＣ３とミキシングされ、又は、既に予めミキシングされ且つ電磁場を介して受信された通信ステージ出力信号Ｃ１，Ｃ２若しくはＣ３とミキシングされる。
【００５１】
出力端部において、信号ミキシング手段５は、第４の通信ステージ１７に対して接続されており、通信ステージ出力信号Ｃ１，Ｃ２，Ｃ３及びＣ４のうちの少なくとも二つのミキシングを表す信号ミキシング手段出力信号Ｓ−ＯＵＴ４を発信するように構成されている。しかしながら、通信装置１３の通信領域内に外部通信ステージが存在しない場合には、識別情報の項目ＵＩＤ４だけが、信号ミキシング手段出力信号Ｓ−ＯＵＴ４を形成するために使用される。信号ミキシング手段出力信号Ｓ−ＯＵＴ４は、その後、通信ステージ１７に対して送信される。
【００５２】
通信ステージ１７は、信号ミキシング手段出力信号Ｓ−ＯＵＴ４におけるビット位置での衝突を検出すると、規格ＩＳＯ１４４４３の下で反衝突処理を開始する。この処理において、通信ステージ１７が発信できるコマンド及びパラメータは、この場合には、通信ステージ出力信号Ｓ−ＯＵＴ３を用いて外部通信ステージ及びデータキャリア１８の内部通信ステージの両方に対して通信される。
【００５３】
本発明に係る対策を講じることにより、この場合には、反衝突処理により選択できるものが、通信装置１３の外部に設けられた通信ステージだけでなく、図６に示されるような内部データキャリア１８の通信ステージ又は図６に詳細に示されてはいないが複数の内部データキャリアの通信ステージでもあるという利点が得られる。この複数の内部データキャリアは、例えば、図１に示される方法と同様の方法でカスケード接続されてもよい。尚、複数のデータキャリアは、信号ミキシング手段５のそれらに対して割り当てられた個々の入力部に対して並列に接続されてもよく、勿論、図１に示される通信装置１３で対策が講じられてもよいことに言及しておくべきである。
【００５４】
ここで、ミキシングという用語により理解できるものが変調指数の変化であることに言及しておくべきである。
【００５５】
また、図１において、入力信号が通信装置内から又は要求通りに通信装置外から供給されてもよいことに言及しておくべきである。他に言及すべきことは、第２の信号ミキシング手段出力信号Ｓ−ＯＵＴ２を通信装置１３内の内部処理で利用できてもよいという点である。
【図面の簡単な説明】
【００５６】
【図１】内部に本発明に係る回路が含まれる本発明に係る通信装置であって、通信装置で使用され且つ同様に本発明に係る回路を含む本発明に係るデータキャリアを有する、本発明に係る通信装置を概略的に示すブロック回路図である。
【図２】本発明に係る回路に対して供給される通信ステージの二つの出力信号、及び、通信ステージの二つの出力信号をミキシングすることにより本発明に係る回路によって結果として得られる信号を示す信号図である。
【図３】電磁場内で生ずるキャリア信号の変調の様々な状態を示す信号波形図であり、その変調の状態は、重ね合わせ又は衝突を受ける信号セグメント及び重ね合わせの無い又は衝突の無い信号セグメントを表しており、これらの両方は本発明に係る回路によって生成することができる。
【図４】非接触データキャリアのための読み取り／書き込み手段と、二つの従来の非接触データキャリアと、接点によりカスケード接続されたデータキャリアを有する本発明に係る通信装置とを備える構成を図１と同様の態様で示している。
【図５】本発明に係る回路と本発明に係るデータキャリアとを有する通信装置を図１と同様の態様で示している。
【図６】通信ステージの出力信号を受信端（受信エンド）でミキシングするための本発明に係る回路を有する通信措置を図１と同様の態様で示している。
【図１】
2007535059.tif 000005
【図２】
2007535059.tif 000006
【図３】
2007535059.tif 000007
【図４】
2007535059.tif 000008
【図５】
2007535059.tif 000009
【図６】
2007535059.tif 000010
【国際調査報告】
2007535059.tif 000011
2007535059.tif 000012